(57)【要約】【課題】部分表示モードにおいて、消費電力を低減できる電気光学装置および電子機器を提供すること。【解決手段】電気光学装置１は、表示画面Ａの全ての領域を表示領域とする全画面表示モードと、表示画面Ａの全ての領域のうち一部の領域を表示領域とし、他の領域を非表示領域とする部分表示モードと、を選択可能である。画素５０は、データ線Ｘに接続されたＴＦＤ５１を有する。データ線駆動回路１２は、全画面表示モードにおいて、電圧ＶＨＮと、電圧ＶＨＮよりも電位が高い電圧ＶＨＰ１と、からなる電圧レベルを画像信号として複数のデータ線Ｘに供給し、部分表示モードにおいて、電圧ＶＨＮと、電圧ＶＨＮよりも電位が高く、かつ、電圧ＶＨＰ１よりも電位が低い電圧ＶＨＰ２と、からなる電圧レベルを画像信号として複数のデータ線Ｘに供給する。【選択図】図１
2008040203.tif 000002
【特許請求の範囲】
【請求項１】
複数の走査線と、複数のデータ線と、前記複数の走査線と前記複数のデータ線との交差に対応して設けられた複数の画素と、を備え、全画面を表示領域とする全画面表示モードと、前記全画面の一部の領域を表示領域とし、他の領域を非表示領域とする部分表示モードと、が選択可能な電気光学装置であって、
前記走査線を選択する選択電圧を前記複数の走査線に順次供給する走査線駆動回路と、
前記走査線が選択された際に、前記複数のデータ線に画像信号を供給するデータ線駆動回路と、を備え、
前記画素は、前記データ線に接続されたスイッチング素子としての非線形素子を有し、
前記データ線駆動回路は、
前記全画面表示モードにおいて、第１電圧と、当該第１電圧よりも電位が高い第２電圧と、からなる電圧レベルを画像信号として前記複数のデータ線に供給し、
前記部分表示モードにおいて、前記第１電圧と、前記第１電圧よりも電位が高く、かつ、前記第２電圧よりも電位が低い第３電圧と、からなる電圧レベルを画像信号として前記複数のデータ線に供給することを特徴とする電気光学装置。
【請求項２】
複数の走査線と、複数のデータ線と、前記複数の走査線と前記複数のデータ線との交差に対応して設けられた複数の画素と、を備え、全画面を表示領域とする全画面表示モードと、前記全画面の一部の領域を表示領域とし、他の領域を非表示領域とする部分表示モードと、が選択可能な電気光学装置であって、
前記走査線を選択する選択電圧を前記複数の走査線に順次供給する走査線駆動回路と、
前記走査線が選択された際に、前記複数のデータ線に画像信号を供給するデータ線駆動回路と、
周囲温度を測定する温度センサと、を備え、
前記画素は、前記データ線に接続されたスイッチング素子としての非線形素子を有し、
前記データ線駆動回路は、
前記部分表示モードにおいて、前記温度センサにより測定した周囲温度が所定の温度よりも低い場合、第１電圧と、当該第１電圧よりも電位が高い第２電圧とからなる画像信号を前記複数のデータ線に供給し、
前記部分表示モードにおいて、前記温度センサにより測定した周囲温度が所定の温度よりも高い場合、前記第１電圧と、前記第１電圧よりも電位が高く、かつ、前記第２電圧よりも電位が低い第３電圧と、からなる電圧レベルを画像信号として前記複数のデータ線に供給することを特徴とする電気光学装置。
【請求項３】
請求項１または２に記載の電気光学装置において、
前記データ線駆動回路は、前記全画面表示モードから前記部分表示モードに切り替る際に階調表示を停止して、前記複数のデータ線に供給する画像信号を、前記第１電圧と前記第２電圧とからなる電圧レベルから前記第１電圧と前記第３電圧とからなる電圧レベルに変更することを特徴とする電気光学装置。
【請求項４】
請求項１または２に記載の電気光学装置において、
前記走査線駆動回路は、前記部分表示モードにおいて前記選択電圧の電圧レベルを下げて供給することを特徴とする電気光学装置。
【請求項５】
請求項１乃至４のいずれか１項に記載の電気光学装置を備えることを特徴とする電子機器。
【発明の詳細な説明】
【技術分野】
【０００１】
本発明は、電気光学装置および電子機器に関する。
【背景技術】
【０００２】
従来より、液晶装置といった電気光学装置が知られている。この電気光学装置は、例えば、所定間隔おきに設けられた複数の走査線と、これら複数の走査線に交差し、かつ、所定間隔おきに設けられた複数のデータ線と、を備える。各走査線と各データ線との交差部分には、画素が設けられている。
【０００３】
画素は、薄膜ダイオード（以降、ＴＦＤ（Thin  Film  Diode）と呼ぶ）と、画素容量と、を備える。この画素は、マトリクス状に複数配列されて、表示画面を形成する。
画素容量は、一対の電極を備え、これら一対の電極の間には、液晶が挟持されている。この画素容量の一対の電極のうち一方の電極には、走査線が接続され、画素容量の一対の電極のうち他方の電極には、ＴＦＤを介してデータ線が接続されている。
【０００４】
走査線駆動回路は、走査線を選択する選択電圧を複数の走査線に順次供給する。走査線に選択電圧が供給されると、この走査線に接続されたＴＦＤが全てオン状態となる。
【０００５】
データ線駆動回路は、ＴＦＤがオン状態になるのに同期して、複数のデータ線に画像信号を供給し、オン状態のＴＦＤを介して、この画像信号に基づく画像電圧を画素容量に供給する。
【０００６】
以上の電気光学装置は、以下のように動作する。
すなわち、複数の走査線に選択電圧を順次供給することで、ある走査線に接続されたＴＦＤを全てオン状態にして、この走査線に係る画素を全て選択する。そして、これら画素の選択に同期して、複数のデータ線に画像信号を供給する。すると、選択した全ての画素に画像信号が供給され、画像信号に基づく画像電圧が画素容量に供給される。
【０００７】
画素容量に画像電圧が供給されると、画素容量が備える一対の電極により、画像電圧と選択電圧との電位差に基づく駆動電圧が液晶に印加される。液晶に駆動電圧が印加されると、液晶の配向や秩序が変化し、液晶を透過する光が変化して、階調表示が行われる。
【０００８】
このような電気光学装置では、消費電力の低減が要請されている。そこで、複数の画素からなる表示画面の全面で階調表示を行う（以降、この場合を全画面表示モードと呼ぶ）のではなく、表示画面の一部でのみ階調表示を行う（以降、この場合を部分（パーシャル）表示モードと呼ぶ）ことで、消費電力の低減を図っている（例えば、特許文献１参照）。
【０００９】
特許文献１に記載の電気光学装置は、部分表示モードでは、表示画面を表示領域と非表示領域とに分割する。そして、表示領域では、例えば電池残量や時刻表示といった画像に応じた画像信号を各画素に供給して、各画素から画像信号に応じた階調を表示する。一方、非表示領域では、ノーマリーホワイトの電気光学装置では白の画像、ノーマリーブラックの電気光学装置では黒の画像といった最小階調に応じた画像信号を各画素に供給して、各画素から最小階調を表示する。
【００１０】
ここで、部分表示モードでは、非表示領域の画素に、最小階調に応じた一定の画像信号を供給するので、表示領域の画素に画像信号を供給する周期よりも遅い周期で画像信号を供給しても、表示の劣化が目立たない。よって、部分表示モードでは、表示領域の画素に画像信号を供給する周期と比べて、非表示領域の画素に画像信号を供給する周期を遅くして、表示の劣化を抑えつつ、消費電力を低減できる。
【特許文献１】特開２０００−２７６０９３号公報
【発明の開示】
【発明が解決しようとする課題】
【００１１】
ところが、以上の電気光学装置では、さらなる消費電力の低減が要請されている。
【００１２】
そこで、本発明は、上述の課題に鑑みてなされたものであり、部分表示モードにおいて、消費電力をさらに低減できる電気光学装置および電子機器を提供することを目的とする。
【課題を解決するための手段】
【００１３】
本発明の電気光学装置は、複数の走査線と、複数のデータ線と、前記複数の走査線と前記複数のデータ線との交差に対応して設けられた複数の画素と、を備え、全画面を表示領域とする全画面表示モードと、前記全画面の一部の領域を表示領域とし、他の領域を非表示領域とする部分表示モードと、が選択可能な電気光学装置であって、前記走査線を選択する選択電圧を前記複数の走査線に順次供給する走査線駆動回路と、前記走査線が選択された際に、前記複数のデータ線に画像信号を供給するデータ線駆動回路と、を備え、前記画素は、前記データ線に接続されたスイッチング素子としての非線形素子を有し、前記データ線駆動回路は、前記全画面表示モードにおいて、第１電圧と、当該第１電圧よりも電位が高い第２電圧と、からなる電圧レベルを画像信号として前記複数のデータ線に供給し、前記部分表示モードにおいて、前記第１電圧と、前記第１電圧よりも電位が高く、かつ、前記第２電圧よりも電位が低い第３電圧と、からなる電圧レベルを画像信号として前記複数のデータ線に供給することを特徴とする。
【００１４】
この発明によれば、データ線駆動回路により、全画面表示モードにおいて、第１電圧と第２電圧とからなる電圧レベルを画像信号として複数のデータ線に供給し、部分表示モードにおいて、第１電圧と第３電圧とからなる電圧レベルを画像信号として複数のデータ線に供給した。このため、部分表示モードにおいて、全画面表示モードの場合と比べて、画像信号の電圧レベルを低くした分だけ、消費電力をさらに低減できる。
【００１５】
ところで、非線形素子は、周囲温度が高くなるとリーク電流が増大するという特性を有するが、このリーク電流は、データ線の電位が高いほど増大する。そして、リーク電流が増大すると、画素容量から電気光学物質に印加される駆動電圧が減少して、コントラストが低下する場合があった。
そこで、この発明によれば、部分表示モードにおいて、上述のように全画面表示モードの場合と比べて画像信号の電圧レベルを低くしたので、この画像信号が供給されるデータ線の電位が低くなる。よって、部分表示モードにおいて、周囲温度が高くても、リーク電流が増大するのを抑制して、コントラストが低下するのを抑制できる。
【００１６】
本発明の電気光学装置は、複数の走査線と、複数のデータ線と、前記複数の走査線と前記複数のデータ線との交差に対応して設けられた複数の画素と、を備え、全画面を表示領域とする全画面表示モードと、前記全画面の一部の領域を表示領域とし、他の領域を非表示領域とする部分表示モードと、が選択可能な電気光学装置であって、前記走査線を選択する選択電圧を前記複数の走査線に順次供給する走査線駆動回路と、前記走査線が選択された際に、前記複数のデータ線に画像信号を供給するデータ線駆動回路と、周囲温度を測定する温度センサと、を備え、前記画素は、前記データ線に接続されたスイッチング素子としての非線形素子を有し、前記データ線駆動回路は、前記部分表示モードにおいて、前記温度センサにより測定した周囲温度が所定の温度よりも低い場合、第１電圧と、当該第１電圧よりも電位が高い第２電圧とからなる画像信号を前記複数のデータ線に供給し、前記部分表示モードにおいて、前記温度センサにより測定した周囲温度が所定の温度よりも高い場合、前記第１電圧と、前記第１電圧よりも電位が高く、かつ、前記第２電圧よりも電位が低い第３電圧と、からなる電圧レベルを画像信号として前記複数のデータ線に供給することを特徴とする。
【００１７】
部分表示モードにおいて、上述のようにデータ線の電位を低くすると、非線形素子でのリーク電流が増大するのを抑制できるので、周囲温度が高くても、コントラストの低下を抑制できる。ところが、データ線の電位を低くするために画像信号を第１電圧と第３電圧とで構成すると、画像信号を第１電圧と第２電圧とで構成する場合と比べて、画像信号の振幅が小さくなるので、コントラストが低下する。
ここで、周囲温度が所定の温度よりも低い場合には、非線形素子でのリーク電流が比較的小さいため、リーク電流の増大によりコントラストが低下する度合いと比べて、画像信号の振幅の縮小によりコントラストが低下する度合いの方が大きくなる。一方、周囲温度が所定の温度よりも高い場合には、非線形素子でのリーク電流が大きくなるため、リーク電流の増大によりコントラストが低下する度合いと比べて、画像信号の振幅の縮小によりコントラストが低下する度合いの方が小さくなる。
そこで、この発明によれば、温度センサにより周囲温度を測定し、部分表示モードにおいて、周囲温度が所定の温度よりも低い場合、第１電圧と第２電圧とからなる電圧レベルを画像信号として複数のデータ線に供給し、周囲温度が所定の温度よりも高い場合、第１電圧と第３電圧とからなる電圧レベルを画像信号として複数のデータ線に供給した。すなわち、部分表示モードにおいて、周囲温度が所定の温度よりも低ければ、画像信号の振幅の縮小により低下するコントラストを考慮し、周囲温度が所定の温度よりも高ければ、リーク電流の増大により低下するコントラストを考慮して、画像信号の振幅を変更した。よって、部分表示モードにおいて、所定の温度と比べて、周囲温度が高い場合だけでなく、周囲温度が低い場合でも、コントラストの低下を抑制できる。
【００１８】
本発明の電気光学装置では、前記データ線駆動回路は、前記全画面表示モードから前記部分表示モードに切り替る際に階調表示を停止して、前記複数のデータ線に供給する画像信号を、前記第１電圧と前記第２電圧とからなる電圧レベルから前記第１電圧と前記第３電圧とからなる電圧レベルに変更することが好ましい。
【００１９】
例えば、ある１フレーム期間において、複数のデータ線に画像信号を供給して、これら複数のデータ線に係る複数の画素で階調表示を行っている最中に、画像信号の振幅を変更する。すると、この１フレーム期間では、振幅を変更する前の画像信号が供給された画素と、振幅を変更した後の画像信号が供給された画素と、が混在することとなる。このため、これら画素では、画像信号の振幅を変更した分だけ表示される階調が異なってしまい、階調表示が不自然になってしまう場合があった。また、フレームの頭で切り替えた場合にも、瞬間的に明るさが変わるという違和感があった。
そこで、この発明によれば、全画面表示モードから部分表示モードに切り替える際に階調表示を停止して、画像信号の振幅を変更した。このため、ある１フレーム期間において、振幅を変更する前の画像信号が供給された画素と、振幅を変更した後の画像信号が供給された画素と、が混在しても、これら画素では、階調表示が行われない。よって、階調表示が不自然になるのを防止できる。
【００２０】
本発明の電気光学装置では、前記走査線駆動回路は、前記部分表示モードにおいて前記選択電圧の電圧レベルを下げて供給することが好ましい。
【００２１】
この発明によれば、部分表示モードにおいて、選択電圧の電圧レベルを下げて、複数の走査線に順次供給した。このため、部分表示モードにおいて、画像信号の電圧レベルを低下させた分だけ選択電圧の電圧レベルを低下させることで、全画面表示モードでの画像信号と選択電圧との電位差と、部分表示モードでの画像信号と選択電圧との電位差と、を同一にできる。よって、部分表示モードにおいて、全画面表示モードの場合と同様に、階調表示を行うことができる。
【００２２】
本発明の電子機器は、上述の電気光学装置を備えることを特徴とする。
この発明によれば、上述した効果と同様の効果がある。
【発明を実施するための最良の形態】
【００２３】
以下、本発明の実施形態を図面に基づいて説明する。なお、以下の実施形態および変形例の説明にあたって、同一構成要件については同一符号を付し、その説明を省略もしくは簡略化する。
【００２４】
＜第１実施形態＞
図１は、本発明の第１実施形態に係る電気光学装置１の構成を示すブロック図である。
電気光学装置１は、液晶パネルＡＡと、この液晶パネルＡＡを駆動する液晶パネル駆動装置５と、液晶パネル駆動装置５に供給する駆動電圧を生成する駆動電圧生成回路６と、を備える。この電気光学装置１は、ノーマリーブラックモードで動作する。
【００２５】
液晶パネルＡＡは、所定間隔おきに設けられた２００行の走査線Ｙ１〜Ｙ２００と、これら走査線Ｙ１〜Ｙ２００に交差し、かつ、所定間隔おきに設けられた１６０列のデータ線Ｘ１〜Ｘ１６０と、を備える。各走査線Ｙと各データ線Ｘとの交差部分には、画素５０が設けられている。
【００２６】
画素５０は、非線形素子としての薄膜ダイオード（以降、ＴＦＤ（Thin  Film  Diode）と呼ぶ）５１と、画素容量５４と、を備える。この画素５０は、マトリクス状に複数配列されて、表示画面Ａを構成する。
画素容量５４は、一対の電極を備え、これら一対の電極の間には、電気光学物質としての液晶が挟持されている。この画素容量５４の一対の電極のうち一方の電極には、走査線Ｙが接続され、画素容量５４の一対の電極のうち他方の電極には、ＴＦＤ５１を介してデータ線Ｘが接続されている。
【００２７】
ここで、走査線Ｙｎ（ｎは、１≦ｎ≦２００を満たす整数）と、データ線Ｘｍ（ｍは、１≦ｍ≦１６０を満たす整数）と、の交差に対応して設けられた画素５０に着目すると、以上の液晶パネルＡＡは、以下のように動作する。
【００２８】
すなわち、走査線Ｙｎから走査信号として選択電圧が供給されると、この走査線Ｙｎに接続されたＴＦＤ５１が全てオン状態となる。また、走査線Ｙｎから選択電圧が供給されるのに同期して、データ線Ｘｍから画像信号が供給されると、走査線Ｙｎとデータ線Ｘｍとの交差に対応して設けられた画素５０が備える画素容量５４には、この画像信号に基づく画像電圧が供給される。すると、画素容量５４が備える一対の電極により、画像電圧と選択電圧との電位差に基づく駆動電圧が液晶に印加される。
【００２９】
一方、走査線Ｙｎから走査信号として非選択電圧が供給されると、この走査線Ｙｎに接続されたＴＦＤ５１が全てオフ状態となる。すると、画素容量５４は、ＴＦＤ５１がオン状態の際の駆動電圧を保持する。このため、走査線Ｙｎとデータ線Ｘｍとの交差に対応して設けられた画素５０が備える画素容量５４に係る液晶には、ＴＦＤ５１がオン状態の際に印加された駆動電圧と同じ駆動電圧が印加され続ける。
【００３０】
上述のように液晶に駆動電圧が印加されると、液晶の配向や秩序が変化し、液晶を透過する光が変化して、階調表示が行われる。
【００３１】
以上の液晶パネルＡＡを備えた電気光学装置１は、表示画面Ａの全ての領域を表示領域とする全画面表示モードと、表示画面Ａの全ての領域のうち一部の領域を表示領域とし、他の領域を非表示領域とする部分表示モードと、を選択可能である。
具体的には、電気光学装置１は、後述する表示切替信号ＣＨＧがＨレベルであれば、全画面表示モードとして動作し、表示切替信号ＣＨＧがＬレベルであれば、部分表示モードとして動作する。
【００３２】
図２は、部分表示モードにおける表示画面Ａを示す図である。
部分表示モードでは、表示画面Ａは、表示領域７１と、この表示領域７１を挟む非表示領域７２と、に分割される。表示領域７１には、全画面表示モードでの表示可能な階調数と比べて少ない階調数で、電池残量や時刻表示といった画像が表示され、非表示領域７２には、オフ表示画像として黒の階調が表示される。
本実施形態では、表示領域７１は、５０行目から１００行目までの画素５０からなり、非表示領域７２は、１行目から４９行目までの画素５０と、１０１行目から２００行目までの画素５０と、からなるものとする。
【００３３】
図１に戻って、駆動電圧生成回路６は、後述する制御回路３０から出力された表示切替信号ＣＨＧに基づいて、後述する走査線駆動回路１１およびデータ線駆動回路１２に、複数の電圧の中から所定の電圧を選択して供給する。
この駆動電圧生成回路６には、制御回路３０から出力された表示切替信号ＣＨＧが入力される。
【００３４】
この駆動電圧生成回路６は、表示切替信号ＣＨＧがＨレベルであれば、走査線駆動回路１１に、電圧ＶＳＮ１、第１電圧としての電圧ＶＨＮ、電圧ＶＨＮより電位が高い第２電圧としてのＶＨＰ１、および電圧ＶＳＰを供給し、データ線駆動回路１２に、電圧ＶＨＮおよび電圧ＶＨＰ１を供給する。一方、表示切替信号ＣＨＧがＬレベルであれば、走査線駆動回路１１およびデータ線駆動回路１２に、電圧ＶＨＰ１の代わりに、電圧ＶＨＮよりも電位が高く、かつ、電圧ＶＨＰ１よりも電位が低い第３電圧としての電圧ＶＨＰ２を供給するとともに、電圧ＶＳＮ１の代わりに、電圧ＶＨＰ１と電圧ＶＨＰ２との電位差の分だけ電圧ＶＳＮ１よりも電位が低い電圧ＶＳＮ２を供給する。
なお、上述の各電圧については、後述する。
【００３５】
液晶パネル駆動装置５は、走査線駆動回路１１およびデータ線駆動回路１２を有する液晶ドライバ１０と、駆動電圧生成回路６および液晶ドライバ１０を制御する制御回路３０と、を備える。
【００３６】
制御回路３０は、駆動電圧生成回路６に、表示切替信号ＣＨＧを供給する。また、走査線駆動回路１１に、クロック信号ＹＣＬＫと、開始パルスＹＤと、極性指示信号ＰＯＬと、表示切替信号ＣＨＧと、を供給する。また、データ線駆動回路１２に、上述の極性指示信号ＰＯＬと、階調コードパルスＧＣＰと、を供給する。
なお、上述の各信号については、後述する。
【００３７】
走査線駆動回路１１は、上述の走査信号としての選択電圧および非選択電圧を複数の走査線Ｙに順次供給する。
なお、この走査線駆動回路１１は、全画面表示モードと部分表示モードとでは、選択電圧を複数の走査線Ｙに順次供給する周波数を異ならせてもよい。本実施形態では、走査線駆動回路１１は、全画面表示モードでは、表示画面Ａの全ての走査線Ｙに、６０Ｈｚの周波数で選択電圧を順次供給する。一方、部分表示モードでは、表示画面Ａの全ての走査線Ｙに、４５Ｈｚの周波数で選択電圧を順次供給する。
【００３８】
図３は、走査線駆動回路１１の構成を示すブロック図である。図４、図５、および図６は、走査線駆動回路１１のタイミングチャートである。
走査線駆動回路１１は、シフトレジスタ１１１、電圧選択信号生成回路１１２、および走査信号電圧選択回路１１３を備える。
【００３９】
シフトレジスタ１１１は、走査線Ｙの本数に等しい段数、すなわち本実施形態では２００段のシフトレジスタである。
このシフトレジスタ１１１には、制御回路３０から出力されたクロック信号ＹＣＬＫ、開始パルスＹＤ、および表示切替信号ＣＨＧが入力される。クロック信号ＹＣＬＫは、走査線駆動回路１１が動作するタイミングの基準となる信号であり、１水平走査期間の半分の期間（以降、１／２水平走査期間と呼ぶ）ごとに交互にＨレベルまたはＬレベルとなる信号である。また、開始パルスＹＤは、１フレーム期間の開始時から１水平走査期間に亘ってＨレベルとなる信号である。
【００４０】
このシフトレジスタ１１１は、表示切替信号ＣＨＧがＨレベルであれば、全画面表示モードとして動作し、表示切替信号ＣＨＧがＬレベルであれば、部分表示モードとして動作する。
【００４１】
表示切替信号ＣＨＧがＨレベル、すなわち全画面表示モードであれば、図４に示すように、シフトレジスタ１１１は、クロック信号ＹＣＬＫがＨレベルとなるのに同期して開始パルスＹＤを順次シフトし、１水平走査期間に亘ってＨレベルとなるパルス信号を、転送信号ＹＳ１〜ＹＳ２００として６０Ｈｚの周波数で順次出力する。
【００４２】
一方、表示切替信号ＣＨＧがＬレベル、すなわち部分表示モードであれば、シフトレジスタ１１１は、クロック信号ＹＣＬＫがＨレベルとなるのに同期して開始パルスＹＤを順次シフトし、１水平走査期間に亘ってＨレベルとなるパルス信号を、転送信号ＹＳ１〜ＹＳ２００として４５Ｈｚの周波数で順次出力する。
【００４３】
図３に戻って、電圧選択信号生成回路１１２は、走査線Ｙに供給する走査信号の電圧を選択するための信号を出力する。
この電圧選択信号生成回路１１２には、制御回路３０から出力されたクロック信号ＹＣＬＫおよび極性指示信号ＰＯＬと、シフトレジスタ１１１から出力された転送信号ＹＳ１〜ＹＳ２００と、が入力される。極性指示信号ＰＯＬは、１水平走査期間ごとに交互にＨレベルまたはＬレベルとなり、連続する２つの１フレーム期間の境界を挟む２つの１水平走査期間では、ＨレベルまたはＬレベルのうちいずれかで、同一のレベルとなる信号である。
【００４４】
図４に示すように、電圧選択信号生成回路１１２は、転送信号ＹＳｎがＨレベルである期間に、クロック信号ＹＣＬＫがＬレベルとなるのに同期して、極性指示信号ＰＯＬを参照する。
【００４５】
そして、極性指示信号ＰＯＬがＨレベルであれば、まず、第１の電圧選択信号ＹＡｎをＨレベルにするとともに、第２の電圧選択信号ＹＢｎ、第３の電圧選択信号ＹＣｎ、および第４の電圧選択信号ＹＤｎをＬレベルにして出力する。
次に、１／２水平走査期間が経過した後に、クロック信号ＹＣＬＫがＨレベルとなるのに同期して、第１の電圧選択信号ＹＡｎをＬレベルにするとともに、第２の電圧選択信号ＹＢｎをＨレベルにして出力する。
次に、さらに１／２水平走査期間が経過した後に、クロック信号ＹＣＬＫがＬレベルとなるのに同期して、第２の電圧選択信号ＹＢｎをＬレベルにして出力する。
【００４６】
一方、極性指示信号ＰＯＬがＬレベルであれば、まず、第３の電圧選択信号ＹＣｎをＨレベルにするとともに、第１の電圧選択信号ＹＡｎ、第２の電圧選択信号ＹＢｎ、および第４の電圧選択信号ＹＤｎをＬレベルにして出力する。
次に、１／２水平走査期間が経過した後に、クロック信号ＹＣＬＫがＨレベルとなるのに同期して、第３の電圧選択信号ＹＣｎをＬレベルにするとともに、第４の電圧選択信号ＹＤｎをＨレベルにして出力する。
次に、さらに１／２水平走査期間が経過した後に、クロック信号ＹＣＬＫがＬレベルとなるのに同期して、第４の電圧選択信号ＹＤｎをＬレベルにして出力する。
【００４７】
図３に戻って、走査信号電圧選択回路１１３は、複数の電圧の中から１つの電圧を選択して、走査信号として出力する。
この走査信号電圧選択回路１１３には、電圧選択信号生成回路１１２から出力された第１の電圧選択信号ＹＡ１〜ＹＡ２００、第２の電圧選択信号ＹＢ１〜ＹＢ２００、第３の電圧選択信号ＹＣ１〜ＹＣ２００、および第４の電圧選択信号ＹＤ１〜ＹＤ２００と、が入力される。また、この走査信号電圧選択回路１１３には、駆動電圧生成回路６から出力された電圧ＶＳＰ、電圧ＶＨＰ１または電圧ＶＨＰ２のいずれか、電圧ＶＨＮ、および、電圧ＶＳＮ１または電圧ＶＳＮ２のいずれかが入力される。具体的には、表示切替信号ＣＨＧがＨレベルであれば、電圧ＶＳＰ、ＶＨＰ１、ＶＨＮ、ＶＳＮ１が入力され、表示切替信号ＣＨＧがＬレベルであれば、電圧ＶＨＰ１の代わりに、この電圧ＶＨＰ１よりも電位の低い電圧ＶＨＰ２が入力されるとともに、電圧ＶＳＮ１の代わりに、この電圧ＶＳＮ１よりも電位の低い電圧ＶＳＮ２が入力される。
【００４８】
まず、図５を用いて、表示切替信号ＣＨＧがＨレベル、すなわち全画面表示モードにおける走査信号電圧選択回路１１３の動作を説明する。
全画面表示モードでは、走査信号電圧選択回路１１３は、第１の電圧選択信号ＹＡｎがＨレベルになると、走査線Ｙｎに供給する走査信号の電圧レベルを電圧ＶＳＰとし、第２の電圧選択信号ＹＢｎがＨレベルになると、走査線Ｙｎに供給する走査信号の電圧レベルを電圧ＶＨＰ１として出力する。
一方、第３の電圧選択信号ＹＣｎがＨレベルになると、走査線Ｙｎに供給する走査信号の電圧レベルを電圧ＶＳＮ１とし、第４の電圧選択信号ＹＤｎがＨレベルになると、走査線Ｙｎに供給する走査信号の電圧レベルを電圧ＶＨＮとして出力する。
【００４９】
次に、図６を用いて、表示切替信号ＣＨＧがＬレベル、すなわち部分表示モードにおける走査信号電圧選択回路１１３の動作を説明する。
部分表示モードでは、走査信号電圧選択回路１１３は、図５において走査線Ｙｎに供給する走査信号の電圧レベルを電圧ＶＨＰ１として出力する期間に、走査線Ｙｎに供給する走査信号の電圧レベルを電圧ＶＨＰ１よりも電位の低い電圧ＶＨＰ２として出力する。また、部分表示モードでは、走査信号電圧選択回路１１３は、図５において走査線Ｙｎに供給する走査信号の電圧レベルを電圧ＶＳＮ１として出力する期間に、走査線Ｙｎに供給する走査信号の電圧レベルを電圧ＶＳＮ１よりも電位の低い電圧ＶＳＮ２として出力する。
【００５０】
以上の走査線駆動回路１１は、以下のように動作する。
すなわち、走査線駆動回路１１は、極性指示信号ＰＯＬに応じて、選択電圧として、電圧ＶＳＮ１または電圧ＶＳＮ２のいずれか、あるいは、電圧ＶＳＰを走査線Ｙに供給するとともに、非選択電圧として、電圧ＶＨＰ１またはＶＨＰ２のいずれか、あるいは、電圧ＶＨＮを走査線Ｙに供給する。
【００５１】
具体的には、走査線駆動回路１１には、全画面表示モードであれば、駆動電圧生成回路６から電圧ＶＳＰ、ＶＨＰ１、ＶＨＮ、ＶＳＮ１が供給される。
【００５２】
そして、走査線Ｙｎに選択電圧を供給する期間に極性指示信号ＰＯＬがＨレベルであれば、１水平走査期間の後半の１／２水平走査期間に亘って、走査線Ｙｎに選択電圧として電圧ＶＳＰを供給し、その後、走査線Ｙｎに非選択電圧として電圧ＶＨＰ１を供給する。
【００５３】
一方、走査線Ｙｎに選択電圧を供給する期間に極性指示信号ＰＯＬがＬレベルであれば、１水平走査期間の後半の１／２水平走査期間に亘って、走査線Ｙｎに選択電圧として電圧ＶＳＮ１を供給し、その後、走査線Ｙｎに非選択電圧として電圧ＶＨＮを供給する。
【００５４】
また、走査線駆動回路１１には、部分表示モードであれば、駆動電圧生成回路６から電圧ＶＳＰ、ＶＨＰ２、ＶＨＮ、ＶＳＮ２が供給される。
【００５５】
そして、部分表示モードでは、全画面表示モードにおいて走査線Ｙｎに選択電圧として電圧ＶＳＮ１を供給する期間に、この電圧ＶＳＮ１に代えて、電圧ＶＳＮ１よりも電位の低い電圧ＶＳＮ２を走査線Ｙｎに供給するとともに、全画面表示モードにおいて走査線Ｙｎに非選択電圧として電圧ＶＨＰ１を供給する期間に、この電圧ＶＨＰ１に代えて、電圧ＶＨＰ１よりも電位の低い電圧ＶＨＰ２を走査線Ｙｎに供給する。
【００５６】
図１に戻って、データ線駆動回路１２は、上述の画像信号をデータ線Ｘに供給する。
【００５７】
図７は、データ線駆動回路１２の構成を示すブロック図である。図８および図９は、データ線駆動回路１２のタイミングチャートである。
データ線駆動回路１２は、表示データＲＡＭ１２１、ＰＷＭデコーダ１２２、および画像信号電圧選択回路１２３を備える。
【００５８】
表示データＲＡＭ１２１は、揮発性メモリで構成され、画像信号ＤＡＴＡを記憶する。
具体的には、この表示データＲＡＭ１２１は、１フレーム分の画像信号ＤＡＴＡを記憶するための記憶領域を備えており、図示しない画像信号生成回路から出力された画像信号ＤＡＴＡが入力される。そして、この表示データＲＡＭ１２１は、１フレーム分の画像信号ＤＡＴＡが入力されると、既に記憶している別の１フレーム分の画像信号ＤＡＴＡに上書きをして記憶し、データ線Ｘ１〜Ｘ１６０に対応して画像信号ＤＡＴＡ１〜ＤＡＴＡ１６０として出力する。
なお、本実施形態では、画像信号ＤＡＴＡｍは、３ビットのデジタルデータとする。
【００５９】
ＰＷＭデコーダ１２２は、画像信号ＤＡＴＡ１〜ＤＡＴＡ１６０に応じた期間に亘りＨレベルとなる電圧選択信号ＸＤ１〜ＸＤ１６０を生成して出力する。
具体的には、このＰＷＭデコーダ１２２には、制御回路３０から出力された極性指示信号ＰＯＬおよび階調コードパルスＧＣＰと、表示データＲＡＭ１２１から出力された画像信号ＤＡＴＡ１〜ＤＡＴＡ１６０と、が入力される。そして、このＰＷＭデコーダ１２２は、階調コードパルスＧＣＰおよび極性指示信号ＰＯＬに基づいて、画像信号ＤＡＴＡ１〜ＤＡＴＡ１６０に応じた期間に亘りＨレベルとなる電圧選択信号ＸＤ１〜ＸＤ１６０を生成して出力する。
なお、階調コードパルスＧＣＰは、液晶パネルＡＡの液晶の特性に応じて、個々のＧＣＰパルスの間隔が変化する。
【００６０】
まず、図８を用いて、表示切替信号ＣＨＧがＨレベル、すなわち全画面表示モードにおけるＰＷＭデコーダ１２２の動作を説明する。
【００６１】
図８において、時刻ｔ１からｔ１５までの期間では、極性指示信号ＰＯＬの極性がＨレベルである。
【００６２】
これら時刻ｔ１からｔ１５までの期間のうち時刻ｔ１、すなわち１水平走査期間の開始時において、画像信号ＤＡＴＡｍが“０００”〜“１１０”のいずれかであれば、階調コードパルスＧＣＰがＨレベルとなるのに同期して、電圧選択信号ＸＤｍをＬレベルとする。一方、画像信号ＤＡＴＡｍが“１１１”であれば、階調コードパルスＧＣＰがＨレベルとなるのに同期して、電圧選択信号ＸＤｍをＨレベルとする。
【００６３】
そして、画像信号ＤＡＴＡｍが“０００”であれば、階調コードパルスＧＣＰがＨレベルとなるのに同期して、時刻ｔ８において電圧選択信号ＸＤｍをＨレベルとする。
すなわち、画像信号ＤＡＴＡｍが“０００”であれば、時刻ｔ１からｔ１５までの１水平期間のうち、時刻ｔ８からｔ１５までの期間に亘り、電圧選択信号ＸＤｍをＨレベルとする。
【００６４】
また、画像信号ＤＡＴＡｍが“００１”であれば、階調コードパルスＧＣＰがＨレベルとなるのに同期して、時刻ｔ７において電圧選択信号ＸＤｍをＨレベルとし、時刻ｔ１４において電圧選択信号ＸＤｍをＬレベルとする。
すなわち、画像信号ＤＡＴＡｍが“００１”であれば、時刻ｔ１からｔ１５までの１水平期間のうち、時刻ｔ７からｔ１４までの期間に亘り、電圧選択信号ＸＤｍをＨレベルとする。
【００６５】
また、画像信号ＤＡＴＡｍが“０１０”から“１１１”であっても、上述の画像信号ＤＡＴＡｍが“０００”や“００１”である場合と同様に、時刻ｔ１からｔ１５までの１水平期間のうち、電圧選択信号ＸＤｍをＨレベルとする期間を変化させる。
【００６６】
一方、図８において、時刻ｔ１５からｔ２９までの期間では、極性指示信号ＰＯＬの極性がＬレベルである。
【００６７】
これら時刻ｔ１５からｔ２９は、それぞれ、上述の時刻ｔ１からｔ１５に対応している。ＰＷＭデコーダ１２２は、時刻ｔ１５からｔ２９までの期間では、上述の時刻ｔ１からｔ１５までの期間と比べて、電圧選択信号ＸＤｍの極性を反転させる。
【００６８】
次に、図９を用いて、表示切替信号ＣＨＧがＬレベル、すなわち部分表示モードにおけるＰＷＭデコーダ１２２の動作を説明する。
【００６９】
図９において、時刻ｔ３０から時刻ｔ４４までの期間では、極性指示信号ＰＯＬがＨレベルであり、時刻ｔ４４からｔ５８までの期間では、極性指示信号ＰＯＬがＬレベルである。
【００７０】
図９の時刻ｔ３０からｔ４４は、それぞれ、図８の時刻ｔ１からｔ１５に対応しており、図９の時刻ｔ４４からｔ５８は、それぞれ、図８の時刻ｔ１５からｔ２９に対応している。ＰＷＭデコーダ１２２は、時刻ｔ３０からｔ５８までの期間では、図８の時刻ｔ１からｔ２９までの期間と同様に動作する。
【００７１】
すなわち、ＰＷＭデコーダ１２２は、全画面表示モードと部分表示モードとでは、同様に動作する。
【００７２】
図７に戻って、画像信号電圧選択回路１２３は、所定の期間に亘って、複数の電圧の中から１つの電圧を選択して、画像信号として出力する。
この画像信号電圧選択回路１２３には、ＰＷＭデコーダ１２２から出力された電圧選択信号ＸＤ１〜ＸＤ１６０が入力される。また、この画像信号電圧選択回路１２３には、駆動電圧生成回路６から出力された電圧ＶＨＮと、電圧ＶＨＰ１またはＶＨＰ２のいずれかと、が入力される。具体的には、表示切替信号ＣＨＧがＨレベルである場合には、電圧ＶＨＰ１、ＶＨＮが入力され、表示切替信号ＣＨＧがＬレベルである場合には、電圧ＶＨＰ１の代わりに、この電圧ＶＨＰ１よりも電位の低い電圧ＶＨＰ２が入力される。
【００７３】
まず、図８を用いて、表示切替信号ＣＨＧがＨレベル、すなわち全画面表示モードにおける画像信号電圧選択回路１２３の動作を説明する。
全画面表示モードでは、画像信号電圧選択回路１２３は、電圧選択信号ＸＤｍがＨレベルである期間には、データ線Ｘｍに供給する画像信号の電圧レベルを電圧ＶＨＰ１として出力し、電圧選択信号ＸＤｍがＬレベルである期間には、データ線Ｘｍに供給する画像信号の電圧レベルを電圧ＶＨＮとして出力する。
【００７４】
次に、図９を用いて、表示切替信号ＣＨＧがＬレベル、すなわち部分表示モードにおける画像信号電圧選択回路１２３の動作を説明する。
部分表示モードでは、画像信号電圧選択回路１２３は、図８においてデータ線Ｘｍに供給する画像信号の電圧レベルを電圧ＶＨＰ１として出力する期間に、データ線Ｘｍに供給する画像信号の電圧レベルを電圧ＶＨＰ１よりも電位の低い電圧ＶＨＰ２として出力する。
【００７５】
以上のデータ線駆動回路１２は、以下のように動作する。
すなわち、データ線駆動回路１２は、極性指示信号ＰＯＬに応じて、画像信号として、電圧ＶＨＰ１または電圧ＶＨＰ２のいずれか、あるいは、電圧ＶＨＮをデータ線Ｘに供給する。
【００７６】
具体的には、データ線駆動回路１２には、全画面表示モードであれば、駆動電圧生成回路６から電圧ＶＨＰ１、ＶＨＮが供給される。
【００７７】
そして、極性指示信号ＰＯＬがＨレベルであれば、画像信号ＤＡＴＡｍの値が大きいほど、１水平走査期間の後半の１／２水平走査期間において、長い期間に亘りデータ線Ｘｍに電圧ＶＨＮを供給し、画像信号ＤＡＴＡｍの値が小さいほど、１水平走査期間の後半の１／２水平走査期間において、長い期間に亘りデータ線Ｘｍに電圧ＶＨＰ１を供給する。
【００７８】
一方、極性指示信号ＰＯＬがＬレベルであれば、画像信号ＤＡＴＡｍの値が大きいほど、１水平走査期間の後半の１／２水平走査期間において、長い期間に亘りデータ線Ｘｍに電圧ＶＨＰ１を供給し、画像信号ＤＡＴＡｍの値が小さいほど、１水平走査期間の後半の１／２水平走査期間において、長い期間に亘りデータ線Ｘｍに電圧ＶＨＮを供給する。
【００７９】
また、データ線駆動回路１２には、部分表示モードであれば、駆動電圧生成回路６から電圧ＶＨＰ２、ＶＨＮが供給される。
【００８０】
そして、部分表示モードでは、全画面表示モードにおいてデータ線Ｘｍに画像信号として電圧ＶＨＰ１を供給する期間に、この電圧ＶＨＰ１に代えて、電圧ＶＨＰ１よりも電位の低い電圧ＶＨＰ２をデータ線Ｘｍに供給する。
【００８１】
図１０は、全画面表示モードにおける電気光学装置１の動作を示すタイミングチャートである。
【００８２】
まず、１水平走査期間の後半の１／２水平走査期間において、時刻ｔ６１からｔ６４までの期間のように走査線Ｙｎの電圧レベルが電圧ＶＳＰであれば、データ線Ｘｍの電圧レベルが電圧ＶＨＰ１である期間が長いほど、走査線Ｙｎとデータ線Ｘｍとの交差に対応して設けられた画素５０は、暗い階調を表示し、データ線Ｘｍの電圧レベルが電圧ＶＨＰ１である期間が短いほど、走査線Ｙｎとデータ線Ｘｍとの交差に対応して設けられた画素５０は、明るい階調を表示する。
【００８３】
具体的には、図１０の時刻ｔ６１からｔ６４までの期間において、データ線Ｘ１、Ｘ２、Ｘ１６０の３つのデータ線に注目すると、データ線Ｘ１の電圧は、時刻ｔ６１からｔ６３までの期間に亘って電圧ＶＨＰ１であり、データ線Ｘ２の電圧は、電圧ＶＨＰ１である期間がなく、データ線Ｘ１６０の電圧は、時刻ｔ６１からｔ６２までの期間に亘って電圧ＶＨＰ１である。すなわち、時刻ｔ６１からｔ６４までの期間において、電圧ＶＨＰ１である期間が最も長いのは、データ線Ｘ１であり、次に長いのは、データ線Ｘ１６０であり、最も短いのは、データ線Ｘ２である。
【００８４】
よって、走査線Ｙｎとデータ線Ｘ１との交差に対応して設けられた画素５０が、最も暗い階調を表示する。次に暗い階調を表示するのは、走査線Ｙｎとデータ線Ｘ１６０との交差に対応して設けられた画素５０である。そして、最も明るい階調を表示するのは、走査線Ｙｎとデータ線Ｘ２との交差に対応して設けられた画素５０である。
【００８５】
次に、時刻ｔ６１からｔ６４までの期間のように走査線Ｙｎの電圧レベルが電圧ＶＳＰであれば、その後、時刻ｔ６４からｔ６６までの期間のように、走査線Ｙｎの電圧レベルを電圧ＶＨＰ１とする。これにより、時刻ｔ６４からｔ６６までの期間では、走査線Ｙｎとデータ線Ｘｍとの交差に対応して設けられた画素５０は、時刻ｔ６１からｔ６４までの期間において表示した階調を表示し続ける。
【００８６】
一方、１水平走査期間の後半の１／２水平走査期間において、時刻ｔ６６からｔ７０までの期間のように走査線Ｙｎの電圧レベルが電圧ＶＳＮ１であれば、データ線Ｘｍの電圧レベルが電圧ＶＨＰ１である期間が長いほど、走査線Ｙｎとデータ線Ｘｍとの交差に対応して設けられた画素５０は、明るい階調を表示し、データ線Ｘｍの電圧レベルが電圧ＶＨＰ１である期間が短いほど、走査線Ｙｎとデータ線Ｘｍとの交差に対応して設けられた画素５０は、暗い階調を表示する。
【００８７】
具体的には、図１０の時刻ｔ６６からｔ７０までの期間において、データ線Ｘ１、Ｘ２、Ｘ１６０の３つのデータ線に注目すると、データ線Ｘ１の電圧は、時刻ｔ６８からｔ７０までの期間に亘って電圧ＶＨＰ１であり、データ線Ｘ２の電圧は、時刻ｔ６９からｔ７０までの期間に亘って電圧ＶＨＰ１であり、データ線Ｘ１６０の電圧は、時刻ｔ６７からｔ７０までの期間に亘って電圧ＶＨＰ１である。すなわち、時刻ｔ６６からｔ７０までの期間において、電圧ＶＨＰ１である期間が最も長いのは、データ線Ｘ１６０であり、次に長いのは、データ線Ｘ１であり、最も短いのは、データ線Ｘ２である。
【００８８】
よって、走査線Ｙｎとデータ線Ｘ１６０との交差に対応して設けられた画素５０が、最も明るい階調を表示する。次に明るい階調を表示するのは、走査線Ｙｎとデータ線Ｘ１との交差に対応して設けられた画素５０である。そして、最も暗い階調を表示するのは、走査線Ｙｎとデータ線Ｘ２との交差に対応して設けられた画素５０である。
【００８９】
次に、時刻ｔ６６からｔ７０までの期間のように走査線Ｙｎの電圧レベルが電圧ＶＳＮ１であれば、その後、時刻ｔ７０から走査線Ｙｎの電圧レベルが電圧ＶＳＰとなるまでの期間のように、走査線Ｙｎの電圧レベルを電圧ＶＨＮとする。これにより、時刻ｔ７０から走査線Ｙｎの電圧レベルが電圧ＶＳＰとなるまでの期間では、走査線Ｙｎとデータ線Ｘｍとの交差に対応して設けられた画素５０は、時刻ｔ６６からｔ７０までの期間において表示した階調を表示し続ける。
【００９０】
図１１は、部分表示モードにおける電気光学装置１の動作を示すタイミングチャートである。
【００９１】
図１１の時刻ｔ８０からｔ９０までの期間は、それぞれ、図１０の時刻ｔ６０からｔ７０までの期間に対応している。電気光学装置１は、図１０において走査線Ｙｎの電圧レベルが電圧ＶＳＮ１である期間に、走査線Ｙｎの電圧レベルを電圧ＶＳＮ１よりも電位の低い電圧ＶＳＮ２とし、図１０において走査線Ｙｎの電圧がＶＨＰ１である期間に、走査線Ｙｎの電圧レベルを電圧ＶＨＰ１よりも電位の低い電圧ＶＨＰ２とする。また、電気光学装置１は、図１０においてデータ線Ｘｍの電圧レベルが電圧ＶＨＰ１である期間に、データ線Ｘの電圧レベルを電圧ＶＨＰ２とする。
【００９２】
以上の電気光学装置１は、全画面表示モードから部分表示モードに切り替わる際に、以下のように動作する。
すなわち、全画面表示モードにおいて、まず、１フレーム期間に亘って、走査線駆動回路１１により、選択電圧として電圧ＶＳＰまたは電圧ＶＳＮ１と、非選択電圧として電圧ＶＨＰ１または電圧ＶＨＮと、を全ての走査線Ｙに順次供給する。また、走査線駆動回路１１により、選択電圧として電圧ＶＳＰまたは電圧ＶＳＮ１を全ての走査線Ｙに順次供給するのに同期して、データ線駆動回路１２により、画像信号として電圧ＶＨＰ１または電圧ＶＨＮを全てのデータ線Ｘに供給する。これにより、表示画面Ａを構成する全ての画素５０からは、黒の階調が表示される。
【００９３】
次に、上述の１フレーム期間の後に続く１フレーム期間に亘って、走査線駆動回路１１により、全ての走査線Ｙに非選択電圧としての電圧ＶＨＮを供給するとともに、データ線駆動回路１２により、全てのデータ線Ｘに電圧ＶＨＮを供給する。これにより、表示画面Ａを構成する全ての画素５０において、階調表示を停止する。
【００９４】
この階調表示を停止している１フレーム期間において、制御回路３０により、Ｌレベルの表示切替信号を出力し、電気光学装置１を全画面表示モードから部分表示モードに切り替える。また、Ｌレベルの表示切替信号が入力される駆動電圧生成回路６により、電圧ＶＳＰ、ＶＨＰ２、ＶＨＮ、ＶＳＮ２を出力する。
【００９５】
これにより、上述の階調表示を停止している１フレーム期間以降では、全ての走査線Ｙには、走査線駆動回路１１により、選択電圧として電圧ＶＳＰまたは電圧ＶＳＮ１よりも電位の低い電圧ＶＳＮ２と、非選択電圧として電圧ＶＨＰ１よりも電位の低い電圧ＶＨＰ２または電圧ＶＨＮと、が順次供給される。また、全てのデータ線Ｘには、データ線駆動回路１２により、画像信号として電圧ＶＨＰ１よりも電位の低い電圧ＶＨＰ２または電圧ＶＨＮが供給される。
【００９６】
本実施形態によれば、以下のような効果がある。
（１）データ線駆動回路１２により、全画面表示モードにおいて、電圧ＶＨＰ１と電圧ＶＨＮとからなる電圧レベルを画像信号として複数のデータ線Ｘに供給し、部分表示モードにおいて、電圧ＶＨＰ２と電圧ＶＨＮとからなる電圧レベルを画像信号として複数のデータ線Ｘに供給した。このため、部分表示モードにおいて、全画面表示モードの場合と比べて、画像信号の電圧レベルを低くした分だけ、消費電力を低減できる。
【００９７】
（２）上述のように、部分表示モードにおいて、全画面表示モードの場合と比べて画像信号の電圧レベルを低くしたので、この画像信号が供給されるデータ線Ｘの電位が低くなる。よって、部分表示モードにおいて、電気光学装置１の周囲温度が高くても、ＴＦＤ５１でのリーク電流が増大するのを抑制して、コントラストが低下するのを抑制できる。
【００９８】
（３）全画面表示モードから部分表示モードに切り替える際に階調表示を停止して、データ線Ｘに供給する画像信号を、電圧ＶＨＰ１と電圧ＶＨＮとからなる電圧レベルから電圧ＶＨＰ２と電圧ＶＨＮとからなる電圧レベルに変更した。このため、ある１フレーム期間において、振幅を変更する前の画像信号が供給された画素５０と、振幅を変更した後の画像信号が供給された画素５０と、が混在しても、これら画素５０では、階調表示が行われない。よって、階調表示が不自然になるのを防止できる。
【００９９】
（４）走査線駆動回路１１により、部分表示モードにおいて、全画面表示モードにおいて走査線Ｙｎに選択電圧として電圧ＶＳＮ１を供給する期間に、この電圧ＶＳＮ１に代えて、電圧ＶＳＮ１よりも電位の低い電圧ＶＳＮ２を走査線Ｙｎに供給した。ここで、電圧ＶＳＮ１と電圧ＶＳＮ２との電位差は、電圧ＶＨＰ１と電圧ＶＨＰ２との電位差に等しい。このため、全画面表示モードでの画像信号と選択電圧との電位差と、部分表示モードでの画像信号と選択電圧との電位差と、を同一にできる。よって、部分表示モードにおいて、全画面表示モードの場合と同様に、階調表示を行うことができる。
なお、電気光学装置１では、部分表示モードにおいて、選択電圧を電圧ＶＳＮ１から電圧ＶＳＮ２に変更すると、走査信号の振幅が大きくなるので、消費電力が増加する。ところが、電気光学装置１では、上述のように、画像信号の電圧レベルを低くした分だけ、消費電力が減少する。
ここで、走査信号と画像信号とを比較すると、図１０や図１１にように、画像信号の電圧レベルが変化する回数と比べて、走査信号の電圧レベルが変化する回数は少ない。このため、画像信号の電圧レベルを低くしたことにより減少した消費電力と比べて、走査信号の振幅が大きくなることにより増加した消費電力は小さい。すなわち、選択電圧として電圧ＶＳＮ１の代わりに電圧ＶＳＮ２を複数の走査線Ｙｎに供給すると消費電力が増加するが、この増加した消費電力は、画像信号として電圧ＶＨＰ１の代わりに電圧ＶＨＰ２を複数のデータ線Ｘｍに供給することで減少した消費電力と比べて小さい。よって、結果として、電気光学装置１では、部分表示モードにおいて、消費電力を低減できる。
【０１００】
＜第２実施形態＞
図１２は、本発明の第２実施形態に係る電気光学装置１Ａの構成を示すブロック図である。
本実施形態では、液晶パネル駆動装置５Ａが温度センサ２０を備える点が、第１実施形態の液晶パネル駆動装置５とは異なる。その他の構成については、第１実施形態と同様であり、説明を省略する。
【０１０１】
制御回路３０Ａは、駆動電圧生成回路６Ａに、表示切替信号ＣＨＧを供給する。また、走査線駆動回路１１に、クロック信号ＹＣＬＫと、開始パルスＹＤと、極性指示信号ＰＯＬと、表示切替信号ＣＨＧと、を供給する。また、データ線駆動回路１２に、極性指示信号ＰＯＬと、階調コードパルスＧＣＰと、を供給する。さらに、温度センサ２０に、測定開始コマンドＣＨＫを供給する。
【０１０２】
温度センサ２０は、電気光学装置１Ａの周囲温度を測定する。
この温度センサ２０には、制御回路３０Ａから出力された測定開始コマンドＣＨＫが入力される。測定開始コマンドＣＨＫは、温度センサ２０により電気光学装置１Ａの周囲温度の測定を開始するための信号である。
【０１０３】
この温度センサ２０は、測定開始コマンドＣＨＫがＨレベルとなると、電気光学装置１Ａの周囲温度の測定を開始し、所定の温度Ｔ（図１３参照）よりも低ければ、Ｈレベルの周囲温度信号ＴＭＰを出力し、所定の温度Ｔよりも高ければ、Ｌレベルの周囲温度信号ＴＭＰを出力する。
なお、温度センサ２０の動作については、図１３を用いて、後に詳述する。
【０１０４】
駆動電圧生成回路６Ａは、温度センサ２０から出力された周囲温度信号ＴＭＰと、制御回路３０Ａから出力された表示切替信号ＣＨＧと、に基づいて、走査線駆動回路１１およびデータ線駆動回路１２に、複数の電圧の中から所定の電圧を供給する。
【０１０５】
具体的には、表示切替信号ＣＨＧがＨレベルである場合と、表示切替信号ＣＨＧがＬレベルで、かつ、周囲温度信号ＴＭＰがＨレベルである場合とには、走査線駆動回路１１に、電圧ＶＳＮ１、ＶＨＮ、ＶＨＰ１、ＶＳＰを供給し、データ線駆動回路１２に、電圧ＶＨＮ、ＶＨＰ１を供給する。一方、表示切替信号ＣＨＧがＬレベルで、かつ、周囲温度信号ＴＭＰがＬレベルである場合には、走査線駆動回路１１およびデータ線駆動回路１２に、電圧ＶＨＰ１の代わりに、電圧ＶＨＮよりも電位が高く、かつ、電圧ＶＨＰ１よりも電位が低い電圧ＶＨＰ２を供給するとともに、電圧ＶＳＮ１の代わりに、電圧ＶＨＰ１と電圧ＶＨＰ２との電位差の分だけ電圧ＶＳＮ１よりも電位が低い電圧ＶＳＮ２を供給する。
【０１０６】
以上の電気光学装置１Ａは、全画面表示モードから部分表示モードに切り替わる際に、以下のように動作する。
すなわち、全画面表示モードにおいて、まず、１フレーム期間に亘って、走査線駆動回路１１により、選択電圧として電圧ＶＳＰまたは電圧ＶＳＮ１と、非選択電圧として電圧ＶＨＰ１または電圧ＶＨＮと、を全ての走査線Ｙに順次供給する。また、走査線駆動回路１１により、選択電圧として電圧ＶＳＰまたは電圧ＶＳＮ１を全ての走査線Ｙに順次供給するのに同期して、データ線駆動回路１２により、画像信号として電圧ＶＨＰ１または電圧ＶＨＮを全てのデータ線Ｘに供給する。これにより、表示画面Ａを構成する全ての画素５０からは、黒の階調が表示される。
【０１０７】
次に、上述の１フレーム期間の後に続く１フレーム期間に亘って、走査線駆動回路１１により、全ての走査線Ｙに非選択電圧としての電圧ＶＨＮを供給するとともに、データ線駆動回路１２により、全てのデータ線Ｘに電圧ＶＨＮを供給する。これにより、表示画面Ａを構成する全ての画素５０において、階調表示を停止する。
【０１０８】
この階調表示を停止している１フレーム期間において、制御回路３０Ａにより、Ｌレベルの表示切替信号を出力して、電気光学装置１Ａを全画面表示モードから部分表示モードに切り替えるとともに、Ｈレベルの測定開始コマンドＣＨＫを出力する。
【０１０９】
すると、このＨレベルの測定開始コマンドＣＨＫが入力される温度センサ２０は、電気光学装置１Ａの周囲温度の測定を開始し、所定の温度Ｔよりも低ければ、Ｈレベルの周囲温度信号ＴＭＰを出力し、所定の温度Ｔよりも高ければ、Ｌレベルの周囲温度信号ＴＭＰを出力する。
【０１１０】
そして、温度センサ２０がＨレベルの周囲温度信号ＴＭＰを出力すれば、このＨレベルの周囲温度信号ＴＭＰと、制御回路３０Ａから出力されたＬレベルの表示切替信号ＣＨＧと、が入力される駆動電圧生成回路６Ａは、電圧ＶＳＰ、ＶＨＰ１、ＶＨＮ、ＶＳＮ１を出力する。
これにより、全ての走査線Ｙには、走査線駆動回路１１により、選択電圧として電圧ＶＳＰまたは電圧ＶＳＮ１と、非選択電圧として電圧ＶＨＰ１または電圧ＶＨＮと、が順次供給される。また、全てのデータ線Ｘには、データ線駆動回路１２により、画像信号として電圧ＶＨＰ１または電圧ＶＨＮが供給される。
【０１１１】
一方、温度センサ２０がＬレベルの周囲温度信号ＴＭＰを出力すれば、このＬレベルの周囲温度信号ＴＭＰと、制御回路３０Ａから出力されたＬレベルの表示切替信号ＣＨＧと、が入力される駆動電圧生成回路６Ａは、電圧ＶＳＰ、ＶＨＰ２、ＶＨＮ、ＶＳＮ２を出力する。
これにより、全ての走査線Ｙには、走査線駆動回路１１により、選択電圧として電圧ＶＳＰまたは電圧ＶＳＮ１よりも電位の低い電圧ＶＳＮ２と、非選択電圧として電圧ＶＨＰ１よりも電位の低い電圧ＶＨＰ２または電圧ＶＨＮと、が順次供給される。また、全てのデータ線Ｘには、データ線駆動回路１２により、画像信号として電圧ＶＨＰ１よりも電位の低い電圧ＶＨＰ２または電圧ＶＨＮが供給される。
【０１１２】
図１３は、部分表示モードでの電気光学装置１Ａの周囲温度とコントラストとの関係を示すグラフである。
図１３において、縦軸は、コントラストを示し、横軸は、電気光学装置１Ａの周囲温度を示す。
【０１１３】
実線で示した電圧ＶＨＰ１と電圧ＶＨＮとからなる画像信号と、１点鎖線で示した電圧ＶＨＰ２と電圧ＶＨＮとからなる画像信号と、を比較する。すると、電気光学装置１Ａの周囲温度が、所定の温度Ｔよりも低ければ、実線で示した画像信号の方がコントラストが高く、所定の温度Ｔよりも高ければ、１点鎖線で示した画像信号の方がコントラストが高くなっている。
【０１１４】
そこで、電気光学装置１Ａでは、上述のように、部分表示モードにおいて、電気光学装置１Ａの周囲温度が所定の温度Ｔよりも低ければ、全てのデータ線Ｘに、電圧ＶＨＰ１と電圧ＶＨＮとからなる画像信号を供給し、電気光学装置１Ａの周囲温度が所定の温度Ｔよりも高ければ、全てのデータ線Ｘに、電圧ＶＨＰ２と電圧ＶＨＮとからなる画像信号を供給する。
【０１１５】
（５）温度センサ２０により、電気光学装置１Ａの周囲温度を測定した。そして、部分表示モードにおいて、電気光学装置１Ａの周囲温度が所定の温度Ｔよりも低い場合、電圧ＶＨＰ１と電圧ＶＨＮとからなる電圧レベルを画像信号として複数のデータ線Ｘに供給し、電気光学装置１Ａの周囲温度が所定の温度Ｔよりも高い場合、電圧ＶＨＰ２と電圧ＶＨＮとからなる電圧レベルを画像信号として複数のデータ線Ｘに供給した。すなわち、部分表示モードにおいて、電気光学装置１Ａの周囲温度が所定の温度Ｔよりも低ければ、画像信号の振幅の縮小により低下するコントラストを考慮し、電気光学装置１Ａの周囲温度が所定の温度Ｔよりも高ければ、ＴＦＤ５１でのリーク電流の増大により低下するコントラストを考慮して、画像信号の振幅を変更した。よって、部分表示モードにおいて、所定の温度Ｔと比べて、電気光学装置１Ａの周囲温度が高い場合だけでなく、電気光学装置１Ａの周囲温度が低い場合でも、コントラストの低下を抑制できる。
【０１１６】
＜変形例＞
なお、本発明は上述の各実施形態に限定されるものではなく、本発明の目的を達成できる範囲での変形、改良等は本発明に含まれるものである。
例えば、上述の各実施形態では、２００行の走査線Ｙ１〜Ｙ２００と、１６０列のデータ線Ｘ１〜Ｘ１６０と、を備えるものとしたが、これに限らない。例えば、４８０行の走査線Ｙ１〜Ｙ４８０と、６４０列のデータ線Ｘ１〜Ｘ６４０と、を備えてもよい。
【０１１７】
また、上述の各実施形態では、電気光学装置１、１Ａは、ノーマリーブラックモードで動作するものとしたが、これに限らず、例えばノーマリーホワイトモードで動作するものであってもよい。
【０１１８】
また、上述の各実施形態では、画像信号ＤＡＴＡｍは、３ビットのデジタルデータとしたが、これに限らず、例えば８ビットや１０ビットのデジタルデータであってもよい。
【０１１９】
また、上述の各実施形態では、表示領域７１は、５０行目から１００行目までの画素５０からなり、非表示領域７２は、１行目から４９行目までの画素５０と、１０１行目から２００行目までの画素５０と、からなるものとしたが、これに限らない。例えば、表示領域７１は、１行目から１５０行目までの画素５０からなり、非表示領域７２は、１５１行目から２００行目までの画素５０からなるものとしてもよい。
【０１２０】
また、上述の各実施形態では、全画面表示モードから部分表示モードに切り替わる際に、１フレーム期間に亘って階調表示を停止したが、これに限らず、例えば２フレーム期間に亘って階調表示を停止してもよい。
【０１２１】
また、上述の各実施形態では、階調表示を停止する前の１フレーム期間に亘って、黒の階調を表示させたが、これに限らず、例えば白の階調を表示させてもよい。
【０１２２】
また、上述の第２実施形態では、制御回路３０Ａにより、Ｈレベルの測定開始コマンドＣＨＫが出力されると、温度センサ２０により、電気光学装置１Ａの周囲温度を測定したが、これに限らない。例えば、制御回路３０Ａから出力される信号によらず、所定期間が経過するたびに、温度センサ２０により、電気光学装置１Ａの周囲温度を測定してもよい。
【０１２３】
＜応用例＞
次に、上述した実施形態に係る電気光学装置１を適用した電子機器について説明する。
図１４は、電気光学装置１を適用した携帯電話機３０００の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【０１２４】
なお、電気光学装置１が適用される電子機器としては、図１４に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【０１２５】
【図１】本発明の第１実施形態に係る電気光学装置の構成を示すブロック図である。
【図２】前記電気光学装置の部分表示モードにおける表示画面を示す図である。
【図３】前記電気光学装置が備える走査線駆動回路の構成を示すブロック図である。
【図４】前記走査線駆動回路の第１のタイミングチャートである。
【図５】前記走査線駆動回路の第２のタイミングチャートである。
【図６】前記走査線駆動回路の第３のタイミングチャートである。
【図７】前記電気光学装置が備えるデータ線駆動回路の構成を示すブロック図である。
【図８】前記データ線駆動回路の第１のタイミングチャートである。
【図９】前記データ線駆動回路の第２のタイミングチャートである。
【図１０】前記電気光学装置の第１のタイミングチャートである。
【図１１】前記電気光学装置の第２のタイミングチャートである。
【図１２】本発明の第２実施形態に係る電気光学装置の構成を示すブロック図である。
【図１３】部分表示モードでの前記電気光学装置の周囲温度とコントラストとの関係を示すグラフである。
【図１４】前記電気光学装置を適用した携帯電話機の構成を示す斜視図である。
【符号の説明】
【０１２６】
１、１Ａ…電気光学装置、６、６Ａ…駆動電圧生成回路、１１…走査線駆動回路、１２…データ線駆動回路、２０…温度センサ、３０、３０Ａ…制御回路、５０…画素、５１…ＴＦＤ（非線形素子）、７１…表示領域、７２…非表示領域、３０００…携帯電話機（電子機器）、Ａ…表示画面（全画面）、Ｘ…データ線、Ｙ…走査線。
【図１】
2008040203.tif 000003
【図２】
2008040203.tif 000004
【図３】
2008040203.tif 000005
【図４】
2008040203.tif 000006
【図５】
2008040203.tif 000007
【図６】
2008040203.tif 000008
【図７】
2008040203.tif 000009
【図８】
2008040203.tif 000010
【図９】
2008040203.tif 000011
【図１０】
2008040203.tif 000012
【図１１】
2008040203.tif 000013
【図１２】
2008040203.tif 000014
【図１３】
2008040203.tif 000015
【図１４】
2008040203.tif 000016